(57)【特許請求の範囲】
【請求項１】
自転車フレームであって、
前部車輪アセンブリを受容するように構成された前部部分と、
後部車輪アセンブリを受容するように構成された後部部分と、
第１の連結ポイントで前記前部部分に連結され、第２の連結ポイントで前記後部部分に連結される連結部材であって、前記第１および第２の連結ポイントは、前記連結部材の長さ方向に沿って互いに隔置されている、連結部材と、を備え、
前記前部部分および前記後部部分のうちの一方は、前記前部部分および前記後部部分のうちの他方に向かって延在し、第３の連結ポイントで連結されてリンクを形成し、
前記前部部分および前記後部部分は、互いに対して移動可能であり、前記リンクは、前記前部部分および前記後部部分の相対位置を制限し、
前記前部部分および前記後部部分の相対的運動は並進成分を含み、
前記連結ポイントのうちの少なくとも２つの間の距離が調整されることを許容するように、前記フレームは構成されており、
前記距離の調整により、前記フレームのサイズを増加または減少させる、自転車フレーム。
【請求項２】
前記第１の連結ポイントと前記第３の連結ポイントとの間の距離および／または前記第２の連結ポイントと前記第３の連結ポイントとの間の距離が調整されることを許容するように、前記フレームは構成されている、請求項１に記載の自転車フレーム。
【請求項３】
前記距離の調整により、前記フレームのリーチおよび／または軸距を増加または減少させる、請求項１または２に記載の自転車フレーム。
【請求項４】
前記距離の調整により、前記リーチおよび前記軸距の両方を同時に増加または減少させる、請求項３に記載の自転車フレーム。
【請求項５】
前記距離の調整により、前記フレームの垂直寸法および水平寸法の両方を増加させるか、または前記フレームの垂直寸法および水平寸法の両方を減少させる、請求項１または２に記載の自転車フレーム。
【請求項６】
前記距離の調整により、前記垂直寸法および水平寸法の両方を同時に増加または減少させる、請求項５に記載の自転車フレーム。
【請求項７】
前記垂直寸法は、スタック、車軸スタック、ヘッドチューブの高さ、トップチューブの高さ、スタンドオーバーの高さ、およびサドルの最小高さのうちの少なくとも１つを含み、ならびに／または前記水平寸法は、軸距、リーチ、および車軸リーチのうちの少なくとも１つを含む、請求項５または６に記載の自転車フレーム。
【請求項８】
前記リンクは、前記距離を画定する複数の装着位置を有する、請求項１〜７のいずれか一項に記載の自転車フレーム。
【請求項９】
前記複数の装着位置は、複数の別個の穴または連続スロットによって形成された、請求項８に記載の自転車フレーム。
【請求項１０】
前記複数の穴または連続スロットは、前記前部部分上に設けられた、請求項９に記載の自転車フレーム。
【請求項１１】
前記距離の調整により、前記連結部材の向きを変化させ、前記連結部材の前記向きは、前記前部部分および前記後部部分の相対位置を決定する、請求項１〜１０のいずれか一項に記載の自転車フレーム。
【請求項１２】
前記距離の調整により、前記前部部分および前記後部部分のうちの一方または両方に対する前記連結部材の前記向きを変化させる、請求項１１に記載の自転車フレーム。
【請求項１３】
前記第１の連結ポイントは、第１の枢軸として形成され、および／または前記第２の連結ポイントは、第２の枢軸として形成された、請求項１〜１２のいずれか一項に記載の自転車フレーム。
【請求項１４】
前記前部部分は、前記第１の枢軸が摺動可能に装着された伸張スロットを備え、および／または前記後部部分は、前記第２の枢軸が摺動可能に装着された伸張スロットを備え、前記伸張スロットは、ベルトまたはチェーンを伸張させるように、前記連結部材の前記向きが調整されることを許容する、請求項１３に記載の自転車フレーム。
【請求項１５】
前記伸張スロットは、前記枢軸を前記スロットに沿って移動させる主ねじ配列を備える、請求項１４に記載の自転車フレーム。
【請求項１６】
前記連結部材または後部部分は、底部ブラケットシェルを備える、請求項１〜１５のいずれか一項に記載の自転車フレーム。
【請求項１７】
前記底部ブラケットシェルは、前記第２の連結ポイントよりも下に配置された、請求項１６に記載の自転車フレーム。
【請求項１８】
長手方向軸を中心とした前記連結部材の回転により前記第１の連結ポイント、前記第２の連結ポイント、および／または前記底部ブラケットシェルの位置が変化するように、前記第１の連結ポイント、前記第２の連結ポイント、および／または前記底部ブラケットシェルは、前記連結部材の前記長手方向軸からオフセットされた、請求項１６または１７に記載の自転車フレーム。
【請求項１９】
前記連結部材は、シートアセンブリを受容するように構成されている、請求項１〜１８のいずれか一項に自転車フレーム。
【請求項２０】
請求項１〜１９のいずれか一項に記載の自転車フレームを備える自転車。
【請求項２１】
前記連結部材によって受容されるシートアセンブリをさらに備え、前記シートアセンブリは、シートポストとサドルとを備え、前記シートポストおよび前記サドルは、相補的な湾曲レール部分とクランプ部分とを有し、前記サドルは、前記湾曲レール部分に沿って前記シートポストに対して摺動可能であり、前記サドルが前記シートポストに対して摺動するにつれて、前記ポストに対する前記サドルの角度が変化するように、前記湾曲レール部分は構成されている、請求項２０に記載の自転車。
【請求項２２】
前記サドルが後方に摺動するにつれて、前記サドルの前記角度は増加する、請求項２１に記載の自転車。
【請求項２３】
前記自転車は、異なるサイズの車輪を受容するための異なる位置に位置する複数のフォーク端部を有する前部フォークを備える、請求項２０〜２２のいずれか一項に記載の自転車。
【請求項２４】
前記自転車は、スプロケットアセンブリを備え、前記スプロケットアセンブリは、内側スプロケットと、前記内側スプロケットと係合する外側環状スプロケットとを有し、前記外側環状スプロケットは、ギア比を変更するために前記内側スプロケットから取り外し可能である、請求項２０〜２３のいずれか一項に記載の自転車。
【請求項２５】
部品キットであって、
前部車輪アセンブリを受容するように構成された前部部分と、
後部車輪アセンブリを受容するように構成された後部部分と、
連結部材と、を備え、
前記前部部分、前記後部部分、および前記連結部材が、組み立てられて、請求項１〜１９のいずれか一項に記載の自転車フレームを形成するように構成されている、部品キット。
【請求項２６】
請求項１〜２４のいずれか一項に記載の自転車フレームまたは自転車のサイズを調整する方法であって、
前記フレームの前記サイズを増加または減少させるように、前記連結ポイントのうちの少なくとも２つの間の前記距離を調整するステップを含む、方法。
【請求項２７】
自転車であって、
従動後部車輪に連結された後部スプロケットと、
前部スプロケットを有し、チェーンまたは歯付きベルトによって前記後部スプロケットに連結されたクランクセットと、を備え、
前記前部スプロケットおよび／または前記後部スプロケットは、スプロケットアセンブリを備え、前記スプロケットアセンブリは、内側スプロケットと、前記内側スプロケットに着脱自在に連結可能な外側環状スプロケットとを備え、前記内側スプロケットおよび前記外側環状スプロケットが同心的にぴったり収まるように、前記スプロケットアセンブリは、前記外側環状スプロケットが前記内側スプロケットから外された第１の構成と、前記外側環状スプロケットが前記内側スプロケットに連結された第２の構成とを有し、
前記内側スプロケットは、前記第１の構成のときに前記チェーンまたは歯付きベルトと係合する複数の歯を有し、
前記外側環状スプロケットは、前記第２の構成のときに前記チェーンまたは歯付きベルトと係合する複数の歯を有する半径方向外側表面と、前記第２の構成のときに前記内側スプロケットの前記歯と係合する複数の歯を有する半径方向内側表面とを有し、
前記外側環状スプロケットの前記半径方向外側表面上の歯の数は、前記内側スプロケット上の歯の数よりも多く、前記スプロケットアセンブリは、前記自転車のギア比を変更するために、前記第１の構成と前記第２の構成との間で変換可能である、自転車。
【請求項２８】
前記外側環状スプロケットは、互いに着脱自在に連結された複数のセグメントによって形成された、請求項２７に記載の自転車。
【請求項２９】
前記複数のセグメントは、相互係止継手によって互いに着脱自在に連結された、請求項２８に記載の自転車。
【請求項３０】
前記外側環状スプロケットは、２つの半円形の半分を備える、請求項２８または２９に記載の自転車。
【請求項３１】
前記外側環状スプロケットの前記半径方向内側表面上の歯の数は、前記内側スプロケット上の歯の数に等しい、請求項２７〜３０のいずれか一項に記載の自転車。
【請求項３２】
前記外側環状スプロケットは、第１の外側環状スプロケットであり、前記スプロケットアセンブリは、第２の環状スプロケットをさらに備え、前記第２の外側環状スプロケット上の歯の数は、前記第１の外側環状スプロケット上の歯の数よりも多く、
前記第２の外側環状スプロケットは、前記内側スプロケットまたは前記第１の外側環状スプロケットに着脱自在に連結可能であり、前記スプロケットアセンブリは、前記第２の外側環状スプロケットが前記内側スプロケットまたは前記第１の外側環状スプロケットに連結された第３の構成を有する、請求項２７〜３１のいずれか一項に記載の自転車。
【発明の詳細な説明】
【技術分野】
【０００１】
本発明は、調整可能にサイズ決めされた自転車フレームに関し、特に、排他的ではないが、子供が成長するにつれてサイズを増加させることができる子供用の自転車フレームに関する。
【背景技術】
【０００２】
従来の自転車は、一般的に、自転車の形状のわずかな調整のみを許容する。例えば、使用者に適合するように、自転車のシートの高さおよび（前後方向における）位置を調整することができる。また、自転車のステムの長さを変化させることによってリーチを変更することも可能である。
【０００３】
従来の自転車の限定された調整の結果として、自転車のフレームが使用者のために適切にサイズ決めされることが不可欠である。これは、短いわずかな時間で子供が大きくなりすぎてフレームが合わなくなる可能性がある子供用の自転車には問題の多い事柄である。その結果、子供は自身には大きすぎる（子供が自転車に合うように成長することを期待して購入した）か、または小さすぎる（既に大きくなりすぎて自転車が合わない）のいずれかである自転車に乗る傾向がある。どちらの筋書も子供にとって不快であり、また、危険でもあり得る。
【０００４】
より調整性を有する自転車フレームを考案することによって、この問題を克服するための努力がなされてきた。例えば、特許文献１は、子供が成長するにつれて、フレームのサイズを増加させることを許容する伸縮自在の構造を有する自転車フレームを説明している。しかしながら、この配列（arrangement）は、軸距（前部車輪の中心から後部車輪の中心までの距離）を増加させるように、フレームを長くすることのみを許容する。その結果、フレームの形状は、すべての構成において理想的ではない。
【０００５】
したがって、従来技術のフレームの欠点を克服する調整可能な自転車フレームを提供することが望ましい。
【先行技術文献】
【特許文献】
【０００６】
【特許文献１】独国特許第１０１３５６２２号
【発明の概要】
【課題を解決するための手段】
【０００７】
本発明の一態様に従って、自転車フレームであって、前部車輪アセンブリを受容するように構成された前部部分と、後部車輪アセンブリを受容するように構成された後部部分と、第１の連結ポイントで前部部分に連結され、第２の連結ポイントで後部部分に連結される連結部材とを備え、第１および第２の連結ポイントが、連結部材の長さ方向に沿って互いに隔置され、前部部分および後部部分のうちの一方が、前部部分および後部部分のうちの他方に向かって延在し、第３の連結ポイントで該他方に連結されてリンクを形成し、連結ポイントのうちの少なくとも２つの間の距離が調整されることを許容するように、フレームが構成され、該距離の調整により、フレームのサイズを増加または減少させる、自転車フレームが提供される。
【０００８】
フレームは、第１の連結ポイントと第３の連結ポイントとの間の距離および／または第２の連結ポイントと第３の連結ポイントとの間の距離が調整されることを許容するように、構成され得る。
【０００９】
該距離の調整により、フレームのリーチおよび／または軸距を増加または減少させることができる。
【００１０】
該距離の調整により、リーチおよび軸距の両方を同時に増加または減少させることができる。
【００１１】
該距離の調整により、フレームの垂直寸法および水平寸法の両方を増加させるか、またはフレームの垂直寸法および水平寸法の両方を減少させることができる。
【００１２】
該距離の調整により、垂直寸法および水平寸法の両方を同時に増加または減少させることができる。
【００１３】
垂直寸法は、スタック、車軸スタック、ヘッドチューブの高さ、トップチューブの高さ、スタンドオーバーの高さ、およびサドルの最小高さのうちの少なくとも１つを含み得、ならびに／または水平寸法は、軸距、リーチ、および車軸リーチのうちの少なくとも１つを含み得る。
【００１４】
リンクは、該距離（および第３の連結ポイント）を画定する複数の装着位置を有し得る。
【００１５】
複数の装着位置は、複数の別個の穴または連続スロットによって形成され得る。複数の穴または連続スロットは、前部部分上に設けられ得る。
【００１６】
該距離の調整により、連結部材の向きを変化させ、連結部材の向きが、前部部分および後部部分の相対位置を決定し得る。
【００１７】
該距離の調整により、前部部分および後部部分のうちの一方または両方に対する連結部材の向きを変化させることができる。
【００１８】
第１の連結ポイントを第１の枢軸として形成することができ、および／または第２の連結ポイントを第２の枢軸として形成することができる。第１および第２の枢軸は、連結部材の向きが調整されることを許容し得る。
【００１９】
前部部分は、第１の枢軸が摺動可能に装着された伸張スロットを備え得、および／または後部部分は、第２の枢軸が摺動可能に装着された伸張スロットを備え得、伸張スロットは、ベルトまたはチェーンを伸張させるように、連結部材の向きが調整されることを許容する。
【００２０】
伸張スロットは、枢軸をスロットに沿って移動させる主ねじ配列を備え得る。
【００２１】
連結部材または後部部分は、底部ブラケットシェルをさらに備え得る。底部ブラケットシェルは、第２の連結ポイントより下に配置され得る。底部ブラケットシェルを第２の連結ポイントより下に位置決めすると、底部ブラケットシェルの動きが増加する。
【００２２】
長手方向軸を中心とした連結部材の回転により第１の連結ポイント、第２の連結ポイント、および／または底部ブラケットシェルの位置が変化するように、第１の連結ポイント、第２の連結ポイント、および／または底部ブラケットシェルは、連結部材の長手方向軸からオフセットされ得る。したがって、連結部材は、連結部材が後方に移動し、底部ブラケットシェルが前方に移動するように、回転させることができる。
【００２３】
連結部材は、シートアセンブリを受容するように構成され得る。
【００２４】
本発明の別の態様に従って、上に説明の自転車フレームを備える自転車が提供される。
【００２５】
自転車は、連結部材によって受容されるシートアセンブリをさらに備え得、シートアセンブリが、シートポストとサドルとを備え、シートポストおよびサドルが、相補的な湾曲レール部分とクランプ部分とを有し、サドルが、湾曲レール部分に沿ってシートポストに対して摺動可能であり、サドルがシートポストに対して摺動するにつれて、ポストに対するサドルの角度が変化するように、湾曲レール部分が構成される。
【００２６】
サドルの角度（サドルの前部から下方へシートポストまで測定したときのサドルの頂部表面とシートポストとの間の角度）は、サドルが後方に摺動するにつれて増加し得る。
【００２７】
自転車は、異なるサイズの車輪を受容するための異なる位置に位置する複数のフォーク端部を有する前部フォークを備え得る。
【００２８】
自転車は、スプロケットアセンブリを備え得、スプロケットアセンブリが、内側スプロケットと、内側スプロケットと係合する外側環状スプロケットとを有し、外側環状スプロケットが、ギア比を変更するために内側スプロケットから取り外し可能である。
【００２９】
本発明の別の態様に従って、部品キットであって、前部車輪アセンブリを受容するように構成された前部部分と、後部車輪アセンブリを受容するように構成された後部部分と、連結部材とを備え、前部部分、後部部分、および連結部材が、組み立てられて、先に説明した自転車フレームを形成するように構成されている、部品キットが提供される。
【００３０】
本発明の別の態様に従って、先に説明した自転車フレームまたは自転車のサイズを調整する方法であって、フレームのサイズを増加または減少させるように、連結ポイントのうちの少なくとも２つの間の距離を調整するステップを含む、方法が提供される。
【００３１】
本発明の別の態様に従って、自転車であって、従動後部車輪に連結された後部スプロケットと、前部スプロケットを有し、チェーンまたは歯付きベルトによって後部スプロケットに連結されるクランクセットとを備え、前部スプロケットおよび／または後部スプロケットが、スプロケットアセンブリを備え、スプロケットアセンブリが、内側スプロケットと、内側スプロケットに着脱自在に連結可能な外側環状スプロケットとを備え、スプロケットアセンブリが、外側環状スプロケットが内側スプロケットから外された第１の構成と、外側環状スプロケットが内側スプロケットに連結された第２の構成と、を有し、内側スプロケットが、第１の構成のときにチェーンまたは歯付きベルトと係合する複数の歯を有し、外側環状スプロケットが、第２の構成のときにチェーンまたは歯付きベルトと係合する複数の歯を有する半径方向外側表面と、第２の構成のときに内側スプロケットの歯と係合する複数の歯を有する半径方向内側表面とを有し、外側環状スプロケットの半径方向外側表面上の歯の数が、内側スプロケット上の歯の数よりも多く、スプロケットアセンブリが、自転車のギア比を変更するために第１の構成と第２の構成との間で変換可能である、自転車が提供される。
【００３２】
外側環状スプロケットは、互いに着脱自在に連結された複数のセグメントによって形成され得る。
【００３３】
複数のセグメントは、相互係止継手によって互いに着脱自在に連結され得る。
【００３４】
外側環状スプロケットは、２つの半円形の半分を備え得る。
【００３５】
外側環状スプロケットの半径方向内側表面上の歯の数は、内側スプロケット上の歯の数に等しくあり得る。
【００３６】
外側環状スプロケットは、第１の外側環状スプロケットであり得、スプロケットアセンブリは、第２の環状スプロケットをさらに備え得、第２の外側環状スプロケット上の歯の数は、第１の外側環状スプロケット上の歯の数より多く、第２の外側環状スプロケットは、内側スプロケットまたは第１の外側環状スプロケットに着脱自在に連結可能であり、スプロケットアセンブリは、第２の外側環状スプロケットが内側スプロケットまたは第１の外側環状スプロケットに連結された第３の構成を有する。
【００３７】
本発明をよりよく理解するため、および本発明がどのように実行に移されるかをより明確に示すために、ここで、一例として添付の図面への参照を行う。
【図面の簡単な説明】
【００３８】
【図１】本発明の一実施形態による自転車フレームの後部斜視図である。
【図２】自転車フレームの前部斜視図である。
【図３】自転車フレームの側面図である。
【図４】自転車フレームの頂部斜視図である。
【図５】第１のバランス自転車の構成の自転車フレームを備える自転車の側面図である。
【図６】第２のバランス自転車の構成の自転車の側面図である。
【図７】自転車を第１のバランス自転車の構成に設置するための代替の配列を示す。
【図８】自転車を第２のバランス自転車の構成に設置するための代替の配列を示す。
【図９】自転車を第１のバランス自転車の構成に設置するためのさらなる代替の配列を示す。
【図１０】自転車を第２のバランス自転車の構成に設置するためのさらなる代替の配列を示す。
【図１１】図９および図１０の自転車の拡大図であり、バランス自転車の構成で使用される、分解された状態のフックおよびノッチの配列を示す。
【図１２】組み立てられた状態の図１１のフックおよびノッチの配列を示す。
【図１３】第１のペダル自転車の構成の自転車の側面図である。
【図１４】第２のペダル自転車の構成の自転車の側面図である。
【図１５】第３のペダル自転車の構成の自転車の側面図である。
【図１６】第１のペダル自転車の構成のために構成された後部スプロケットアセンブリの斜視図である。
【図１７】分解された状態の後部スプロケットアセンブリの斜視図である。
【図１８】第２のペダル自転車の構成のために構成された後部スプロケットアセンブリの斜視図である。
【図１９】第３のペダル自転車の構成のために構成された後部スプロケットアセンブリの斜視図である。
【図２０】代替の後部スプロケットアセンブリの斜視図である。
【図２１】部分的に分解された状態の代替の後部スプロケットアセンブリの斜視図である。
【図２２】第１のペダル自転車の構成における、本発明の別の実施形態によるフレームを有する自転車の側面図である。
【図２３】第２のペダル自転車の構成における、図２２の自転車の側面図である。
【図２４】第３のペダル自転車の構成における、図２２の自転車の側面図である。
【発明を実施するための形態】
【００３９】
以下の説明では、「前部（ｆｒｏｎｔ）」、「後部（ｒｅａｒ）」、「上部（ｕｐｐｅｒ）」、および「下部（ｌｏｗｅｒ）」などの用語を使用して、要素の相対位置を説明する。これらの用語は、自転車の従来の動作の文脈内で使用される。
【００４０】
図１〜図４は、本発明の一実施形態による自転車フレーム２を示す。フレーム２は、概ね、前部部分４、後部部分６、および連結部材８を備える。
【００４１】
前部部分４は、前部車輪アセンブリを受容するように構成されたヘッドチューブ１０を備える。前部車輪アセンブリは、前部フォークおよび前部車輪自体、ならびに軸受け部品などの任意の中間構成要素によって形成される。前部部分４は、ヘッドチューブ１０から直角に延在するトップチューブ１２をさらに備える。前部部分４は、ヘッドチューブ１０とトップチューブ１２の遠位端部との間のトップチューブ１２の長さ方向に沿って隔置された複数の（３つが「前部」、「中間」、および「後部」と示された）装着穴１４ａ、１４ｂ、１４ｃを備える。装着穴１４ａ、１４ｂ、１４ｃは、トップチューブ１２の厚さ方向に貫通している。
【００４２】
図４に特に示されるように、トップチューブ１２の遠位端部は、分岐してオープンスロット１６を形成する。具体的には、トップチューブ１２の遠位端部は、互いに平行であるが横に隔置されたフレーム２のいずれかの側面である一対のプレート１８ａ、１８ｂによって形成される。プレート１８ａ、１８ｂは各々、一対の枢軸穴２０ａ、２０ｂを備える。各プレート１８ａ、１８ｂの枢軸穴２０ａ、２０ｂは、スロット１６を横切って互いに整列している。
【００４３】
後部部分６は、装着ブラケット２４で互いに連結され、互いに離れて外に広がり、後部車輪アセンブリを受容するように構成された後部フォークを形成する一対の後部ステー２２ａ、２２ｂを備える。各後部ステー２２ａ、２２ｂの遠位端部は、車輪車軸を受容するように構成されたフォーク端部２６を備える。示されるように、フォーク端部２６は、後方に面するオープンスロットを備え得る。代替的に、フォーク端部２６は、「ドロップアウト」構成を有し得、それによって、最初にベルトまたはチェーンを脱線させることなく、車輪が取り外されることを許容するように、スロットは下方または前方に面している。さらなる代替として、フォーク端部２６は各々、貫通車軸を受容する穴を有し得る。
【００４４】
装着ブラケット２４は、後部ステー２２ａ、２２ｂを互いに連結する基部プレート２８と、基部プレート２８のいずれかの側面から実質的に直角に延在する一対の側面プレート３０ａ、３０ｂとを備える。側面プレート３０ａ、３０ｂは、互いに平行であるが、装着穴１４ａ、１４ｂ、１４ｃの領域内でトップチューブ１２の厚さよりも大きい距離だけ、フレーム２のいずれかの側面に横に隔置される。プレート３０ａ、３０ｂは各々、互いに整列した装着穴３１ａ、３１ｂを備える。
【００４５】
各後部ステー２２ａ、２２ｂは、後部ステー２２ａ、２２ｂの下部表面から延在するガイドプレート３２ａ、３２ｂを備える。ガイドプレート３２ａ、３２ｂは、装着ブラケット２４とフォーク端部２６との間のほぼ中間に位置する。ガイドプレート３２ａ、３２ｂは、互いに平行であるが、フレーム２のいずれの側面に横に隔置される。各ガイドプレート３２ａ、３２ｂは、形成および機能について以下に詳細に説明する湾曲ガイドスロット３４ａ、３４ｂを備える。
【００４６】
連結部材８は、シートポストとサドルとを備えるシートポストアセンブリを受容するように構成されたシートチューブ３６を備える。連結部材８は、クランクセットが装着された底部ブラケットを受容するように構成された底部ブラケットシェル３８をさらに備える。シートチューブ３６の上部部分は、シートチューブ３６の前部にあり、フレーム２を横切って横に延在する貫通孔を有するボス３９（図４参照）を備える。シートチューブ３６のボスは、貫通孔が枢軸穴２０ａ、２０ｂの対のうちの一対と整列するように、スロット１６内に受容される。ピン（図示せず）が、枢軸穴２０ａ、２０ｂおよびボス３９の貫通孔を通じて通され、連結部材８を前部部分４に（第１の連結ポイントで）枢動可能に連結するように、好適な締結具を使用して所定に固定される。
【００４７】
一対のボスが、その長さ方向に沿って途中までシートチューブ３６のいずれかの側面に設けられる。ねじ山付きガイドピン４２ａ、４２ｂは、ボスの各々から延在する。ガイドピン４２ａ、４２ｂは、後部部分６のガイドスロット３４ａ、３４ｂに受容される。ガイドスロット３４ａ、３４ｂおよびガイドピン４２ａ、４２ｂの配列は、連結部材８を後部部分６に連結する。ガイドスロット３４ａ、３４ｂおよびガイドピン４２ａ、４２ｂの配列は、後部部分６および連結部材８が互いに対して回転し、ならびにガイドスロット３４ａ、３４ｂの長さ方向にわたって並進することを許容する枢軸（第２の連結ポイント）を形成する。ガイドスロット３４ａ、３４ｂに沿ったガイドピン４２ａ、４２ｂの位置は、ガイドプレート３２ａ、３２ｂをボスに押し付けてクランプするように、ガイドピン４２ａ、４２ｂに螺合する好適なナットなどを使用して固定することができる。
【００４８】
理解されるように、前部部分４、後部部分６、および連結部材８は、Ｚ字形の配列を形成する。したがって、連結部材８の向きが、前部部分４の後部部分６からの垂直間隔および水平間隔を決定する。
【００４９】
連結部材８は、後部部分６の装着ブラケット２４を前部部分４のトップチューブ１２に沿って装着穴１４ａ、１４ｂ、１４ｃのうちの１つに連結することによって、所望の向きに固定することができる（第３の連結ポイントを形成する）。これは、ピン（図示せず）を、装着ブラケット２４の装着穴３１ａ、３１ｂおよび装着穴１４ａ、１４ｂ、１４ｃのうちの選択された１つを通じて通し、好適な締結具を使用して適所に固定することによって達成することができる。代替的に、装着穴１４ａ、１４ｂ、１４ｃの各々は、いずれかの装着穴３１ａ、３１ｂを通じて挿入される一対のねじなどによって、螺合（すなわち、トップチューブ１２のいずれかの側面における一対のねじ山付きインサートまたはトップチューブ１２を全体的に通って延在する単一のインサートによって）および係合することができる。したがって、後部部分６は、連結部材８によって前部部分４に間接的に連結され、次いで、また、装着ブラケット２４と、ガイドスロット３４ａ、３４ｂおよびガイドピン４２ａ、４２ｂによって形成された枢軸との間に延在する後部部分６のセクションによって形成されたリンクを介して、前部部分４に直接連結もされる。後部部分６の前部部分４への連結は、フレーム２に三角網を提供し、その結果、剛性を確保する。さらに、以下でさらに説明するように、リンクは、前部部分および後部部分４、６の相対位置を制限する。
【００５０】
図５および図６は、バランス自転車４３に組み立てられたフレーム２を示す。バランス自転車（またはランバイク（ｒｕｎ  ｂｉｋｅ））は、子供がバランスおよび操縦を学ぶのを助けるトレーニング用自転車である。示されるように、バランス自転車４３は、動力伝達装置（すなわち、ペダル、クランクセット、チェーンなど）またはブレーキを備えておらず、トレーニング用車輪は有していない。
【００５１】
前部フォーク４４は、フレーム２のヘッドチューブ１０によって受容される。前部フォーク４４は、ヘッドチューブ１０を通り抜け、従来の様式でハンドルバー４５に連結される。前部フォーク４４は、第１および第２の対のフォーク端部４６ａ、４６ｂを備える。各フォーク端部４６ａ、４６ｂは、オープンドロップアウトとして形成され得る。代替的に、フォーク端部４６ａ、４６ｂは、貫通車軸を受容する穴を有し得る。第１および第２の対のフォーク端部４６ａ、４６ｂは、異なるサイズの車輪に順応するように、異なる距離だけヘッドチューブ１０から隔置される。バランス自転車の構成では、より小さい前部車輪４８ａ、好ましくは、標準１０インチ（直径）の車輪が使用される。前部車輪４８ａは、バランス自転車４３の前部を下げるように、フォーク端部４６ａの上部の対の中に位置する。同様に、標準１０インチの車輪４８ｂは、後部フォーク端部２６に位置する。シートパッド５０は、フレーム２のトップチューブ１２に固着される。示されるように、シートパッド５０は、バランス自転車の構成に必要でない後部装着穴１４ｃを越えて延在し、後部装着穴１４ｃを被覆し得る。
【００５２】
示されるように、バランス自転車の構成では、連結部材８は、フレーム２から取り外され、連結部材１０８によって置換される。連結部材１０８は、連結部材８と同様の様式で、前部部分および後部部分４、６に連結されるが、底部ブラケットシェル３８の代わりに、その遠位自由端に一対のフットレスト１１０を備える。フットレスト１１０は、連結部材１０８のいずれかの側面から横に延在し、子供を支持するために使用することができる。連結部材８は、底部ブラケットシェル３８を保持する着脱自在な下部セクションを備え得、取り外され、フットレスト１１０を有する下部セクションに置換されて、置換連結部材１０８を形成し得る（適切な位置に位置するガイドピンを利用）。代替的に、フットレスト１１０は、底部ブラケットシェル３８自体によって受容することができる。
【００５３】
図５は、後部部分６が前部装着穴１４ａを介して前部部分４に連結された第１のより小さいモードのバランス自転車４３を示す。
【００５４】
このより小さい構成では、連結部材１０８は、垂直から最も遠くに曲げられ、それに伴って、前部部分４と後部部分６との間の垂直距離および水平距離を低減する。結果として、フレーム２は、その垂直寸法および水平寸法によって画定されたその最も小さいサイズにあり、そのため最も小さい子供のために好適である。
【００５５】
具体的には、連結部材８の向きが、後部車輪４８ｂ（すなわち、後部車軸）およびフットレスト１１０を前部車輪４８ａおよびヘッドチューブ１０の方へ水平に引き寄せる。これにより、軸距（前部車軸と後部車軸との間の距離間隔）、リーチ（フットレスト１１０とヘッドチューブ１０の頂部との間の水平距離間隔）、および（リーチのとおりであるが、フットレスト１１０ではなく後部車軸から測定される）車軸リーチの水平寸法を最小限に抑える。
【００５６】
連結部材８の向きはまた、フットレスト１１０をヘッドチューブ１０の方へ垂直に引き寄せる。これは、トップチューブ１２の角度を増加させ、ヘッドチューブ１０の角度を減少させる（水平から）。結果として、スタックの垂直寸法（フットレスト１１０とヘッドチューブの頂部との間の垂直距離間隔）、（スタックのとおりであるが、フットレスト１１０ではなく後部車軸から測定される）車軸スタック、ヘッドチューブの高さ、トップチューブの高さ（前部および後部の両方）、スタンドオーバーの高さ、ならびにシートの高さが、すべて最小限に抑えられる。
【００５７】
ゆるいヘッド角度もまた、前部フォーク４４のトレイルを増加させ、それによって、より遅い操縦特性、ひいては改善された安定性を提供する。連結部材８の向きもまた、フットレスト１１０とシートパッド５０との間の垂直距離を低減させるように、フットレスト１１０の高さを上昇させる。
【００５８】
図６に示されるように、いったん子供が大きくなりすぎて、より小さい構成が合わなくなると、バランス自転車４３を、後部部分６が中間の装着穴１４ｂを介して前部部分４に連結される第２のより大きい構成に遷移させることができる。
【００５９】
より大きい構成では、連結部材１０８は、後部枢軸穴２０ｂを中心にして垂直の方へ枢動する。結果として、バランス自転車４３の先に説明の垂直寸法および水平寸法が同時に増加する。加えて、トップチューブ１２の角度が減少し、ヘッドチューブ１０の角度が増加する。
【００６０】
前部車輪４８ａもまた、バランス自転車４３の前部を上昇させるように、フォーク端部の下部の対４６ｂの方へ移動することができる。
【００６１】
代替的に、図７および図８に示されるように、後部部分６との連結部を越えて突出しない置換連結部材２０８を使用することができる。連結部材８は、底部ブラケットシェル３８を保持する着脱自在な下部セクションを備え得、取り外されて、置換連結部材２０８を形成し得る（適切な位置に位置するガイドピンを利用）。
【００６２】
代替的に、図９〜図１２に示すように、連結部材８を取り外し、前部部分および後部部分４、６がフック５１（すなわち、連結部材）およびノッチ５３（または、穴）を含む配列によって互いに対して回転することを防止することができる。フック５１は、装着穴１４ａ、１４ｂの後方の位置でトップチューブ１２の下側から突出し、ノッチ５３は、装着ブラケット２４の基部プレート２８内に形成される。フック５１は、トップチューブ１２から延在する管状部分によって形成され、その遠位端部において拡大ヘッドを備える。基部プレート２８は、管状部分がノッチ５３内に静止するように、トップチューブ１２とフック５１の拡大ヘッドとの間に受容される。したがって、フック５１の拡大ヘッドは、基部プレート２８、ひいては後部部分がトップチューブ１２から離れて移動することを防止する。フック５１の拡大ヘッドおよびノッチ５３は、異なる嵌合角度を許容するように面取りされてもよい。
【００６３】
フック５１を、バランス自転車４３のより小さいおよびより大きい構成のための適切な位置において基部プレート２８内に設けられた別々のノッチ５３内に係合することができる。代替的に、フック５１を、後部部分６が前部および中間の装着穴１４ａ、１４ｂを介して前部部分４に連結されたときに、ノッチ５３の位置に適合する位置までトップチューブ１２に沿って移動することができる。例えば、トップチューブ１２の下側は、フック５１をバランス自転車４３の所望の構成のための適切なボスの中にねじで固定することができるように、互いに隔置された一対のねじ山付きボスを備えることができる。
【００６４】
より小さい構成から大きい構成への遷移は、軸距およびシートパッド５０の高さの両方を同時に増加させる。したがって、バランス自転車４３は、子供と共に成長することができる。バランス自転車４３は、２〜５歳で、８５ｃｍ〜１１０ｃｍの高さの子供に概ね好適である。
【００６５】
より小さい構成からより大きい構成への遷移はまた、トップチューブ１２の角度を減少させ、ヘッドチューブ１０の角度を増加させる（水平から）。より小さい構成では、ゆるいヘッド角度が、前部フォーク４４のトレイルを増加させ、それによって、より遅い操縦特性、ひいてはより若い使用者のための改善された安定性を提供する。先に説明のように、より小さい構成からより大きな構成へと遷移する間に、バランス自転車４３の前部を上昇させるように、前部車輪４８ａをフォーク端部４６ｂの下部の対の方へ移動することができる。したがって、前部部分および後部部分４、６の位置の変化によってもたらされるトップチューブ１２およびヘッドチューブ１０の角度の変化もまた、車輪位置の変化に起因するこれらの角度の変化をオフセットする。
【００６６】
子供がバランスおよび操縦を習熟し、大きくなりすぎてより大きい構成が合わなくなった後、図１３に示されるように、バランス自転車４３をペダル自転車５２に変換することができる。
【００６７】
バランス自転車４３をペダル自転車５２に変換するために、連結部材８は、前部部分４と後部部分６との間に取り付けられる。車輪４８ａ、４８ｂは、より大きい一対の車輪５４ａ、５４ｂ、好ましくは、１４インチの車輪と置換される。前部車輪５４ａがフォーク端部４６ａの上部の対の中に再び位置する。前部ブレーキおよび／または後部ブレーキ（図示せず）もまた、取り付けられる。
【００６８】
連結部材８のシートチューブ３６は、サドル５８を保持するシートポスト５６（図１４参照）を受容する。シートポスト５６は、シートチューブ３６の中に伸縮自在に受容され、それによって、シートチューブ３６に対して摺動させて、サドル５８の高さを変更することができる。サドル５８は、シートポスト５６のクランプ６１によって受容される一対のレール５９によってシートポスト５６に連結される。サドル５８の前部において、レール５９がサドル５８の上部表面に実質的に平行であり、サドル５８の後部において、レール５９がサドル５８から離れて曲げられるように、レール５９は、それらの長さ方向に沿って湾曲する。同様に、クランプ６１は、レール５９の曲率に適合するように、その長さ方向に沿って湾曲する。
【００６９】
連結部材８の底部ブラケットシェル３８は、クランクセット６０を受容し、次いで、クランクセット６０は、一対のペダル（図示せず）を受容する。クランクセット６０は、前部スプロケットを保持する。
【００７０】
後部車輪５４ｂは、下でさらに詳細に説明される後部スプロケットアセンブリ６２を備える。クランクセット６０と後部スプロケットアセンブリ６２とは、歯付きベルト６４またはチェーンなどによって連結される。
【００７１】
図１３は、第１の小さい構成の自転車５２を示す。この構成では、連結部材８は、前部枢軸穴２０ａを介して前部部分４に連結される。連結部材８の向き、したがって、前部部分および後部部分４、６の相対位置は、後部部分６と前部部分４との連結部によって形成されたリンクによって固定される。
【００７２】
この構成では、連結部材８は、垂直から最も遠くに曲げられ、それに伴って、前部部分４と後部部分６との間の垂直距離および水平距離を低減する。結果として、フレーム２は、その垂直寸法および水平寸法によって画定されたその最小サイズにある。
【００７３】
具体的には、連結部材８の向きが、後部車輪５４ｂ（すなわち、後部車軸）およびクランクセット６０（すなわち、底部ブラケット）を前部車輪５４ａおよびヘッドチューブ１０の方へ水平に引き寄せる。これにより、軸距（前部車軸と後部車軸との間の距離間隔）、リーチ（底部ブラケットとヘッドチューブの頂部との間の水平距離間隔）、および（リーチのとおりであるが、底部ブラケットではなく後部車軸から測定される）車軸リーチの水平寸法を最小限に抑える。
【００７４】
連結部材８の向きはまた、クランクセット６０（すなわち、底部ブラケット）をヘッドチューブ１０の方へ垂直に引き寄せる。これは、トップチューブ１２の角度を増加させ、ヘッドチューブ１０の角度を減少させる（水平から）。結果として、スタックの垂直寸法（底部ブラケットとヘッドチューブの頂部との間の垂直距離間隔）、（スタックのとおりであるが、底部ブラケットではなく後部車軸から測定される）車軸スタック、ヘッドチューブの高さ、トップチューブの高さ（前部および後部の両方）、スタンドオーバーの高さ、ならびに（シートチューブの頂部によって画定される）サドルの最低高さが、すべて最小限に抑えられる。
【００７５】
連結部材８の角度はまた、クランクセット６０がサドル５８の前方に位置する結果をもたらし、これは、学習者にとってより好適である。加えて、ゆるいヘッド角度が前部フォーク４４のトレイルを増加させ、それによって、より遅い操縦特性、ひいては改善された安定性を提供する。連結部材８の向きもまた、底部ブラケットシェル３８とサドル５８との間の垂直距離を低減させるように、底部ブラケットの高さを上昇させる。
【００７６】
この構成では、サドル５８は、シートポスト５６のクランプ６１がレール５９の後部に面して連結するように、自転車５２の前部に面して位置する。したがって、（サドル５８の前部から下方へシートポスト５６まで測定される）サドル５８の上部表面とシートポスト５６、ひいては連結部材８のシートチューブ３６との間の角度は、サドル５８の上部表面が実質的に平面であるように低減される。これはまた、サドル５８とハンドルバー４５との間の距離を減少させる。
【００７７】
連結部材８の向きは、ガイドピン４２ａ、４２ｂをガイドスロット３４ａ、３４ｂに沿って並進させることによって、微調整することができる。具体的には、示されるように、ガイドピン４２ａ、４２ｂは、第２の連結ポイントと第３の連結ポイントとの間の距離を減少させるように、ガイドスロット３４ａ、３４ｂに沿って前方へ並進される。これはまた、ベルト６４の適切な伸張を維持するために、クランクセット６０と（一定の距離を維持するために使用され得る）後部スプロケットアセンブリ６２との間の距離を制御する。この目的のために、ガイドピン４２ａ、４２ｂをガイドスロット３４ａ、３４ｂに沿って前方に駆動する主ねじ配列（図示せず）が設けられ得る。代替的に、ベルト６４の伸張を、後部車輪５４ｂの位置を変更することによって調整することができる。
【００７８】
ガイドスロット３４ａ、３４ｂは、各サイズの構成に対してガイドピン４２ａ、４２ｂのための適切な位置の視覚的または触覚的表示を備え得る。例えば、ガイドスロット３４ａ、３４ｂは、各サイズの構成のための位置を示す視覚的目印を備え得る。代替的に、ガイドスロット３４ａ、３４ｂは、適切に位置付けられたとき、ガイドピン４２ａ、４２ｂにねじで固定されたナットを受容する複数の凹部を備え得る。
【００７９】
いったん子供が大きくなりすぎて小さい構成が合わなくなると、図１４に示されるように、自転車５２を中間の構成に遷移させることができる。
【００８０】
中間の構成では、連結部材８は、前部枢軸穴２０ａを中心にして垂直に向かって枢動され、後部部分６は、連結部材８の向きを固定するように、中間の装着穴１４ｂを介して前部部分４に連結される。これにより、第１の連結ポイントと第３の連結ポイントとの間の距離が低減し、前部部分４と後部部分６との間の垂直距離および水平距離が増加する。結果として、自転車５２の先に説明した垂直寸法および水平寸法が同時に増加する。クランクセット６０もまた、サドル５８のもっと下に持ち込まれ、より効率的な乗車位置を付与する。加えて、トップチューブ１２の角度が減少し、ヘッドチューブ１０の角度が増加する。
【００８１】
連結部材８の角度の変化を和らげるために、サドル５８が、（サドル５８の前部から下方へシートポスト５６まで測定される）サドル５８の上部表面とシートポスト５６との間の角度を増加させるように、後方に移動される。結果として、サドル５８の上部表面は、実質的に平面のままである。これはまた、サドル５８とハンドルバー４５との間の距離を増加させる。サドル５８もまた、子供のより長い足を許容するように上昇される。
【００８２】
またさらに、連結部材８の向きは、第２の連結ポイントと第３の連結ポイントとの間の距離を低減し、ベルト６４の適切な伸張を維持するように、ガイドピン４２ａ、４２ｂをガイドスロット３４ａ、３４ｂに沿って並進させることによって、微調整することができる。
【００８３】
いったん子供が大きくなりすぎて中間の構成が合わなくなると、図１５に示されるように、自転車５２を大きい構成に遷移させることができる。
【００８４】
大きい構成では、連結部材８は、連結部材８（およびサドル５８）を後方に移動させるように、代わりに後部枢軸穴２０ｂに連結される。後部部分６は、連結部材８の向きを固定するように、後部装着穴１４ｃを介して前部部分４に連結される。これにより、第１の連結ポイントと第３の連結ポイントとの間の距離がさらに低減し、前部部分４と後部部分６との間の垂直距離および水平距離がさらに増加する。結果として、自転車５２の先に説明した垂直寸法および水平寸法が、それらの最大値までさらに増加する。クランクセット６０もまた、サドル５８のさらに下に持ち込まれ、より効率的な乗車位置を付与する。加えて、トップチューブ１２の角度がさらに減少し、ヘッドチューブ１０の角度がさらに増加する。
【００８５】
連結部材８を枢軸穴２０ａと２０ｂとの間で移動させることにより、フレーム２が小さい構成から大きい構成へと遷移するときの連結部材８の角度の変化が最小限に抑えられる。これにより、小さい構成のときに、ペダルがサドル５８の前部のあまりにも遠くに位置することを回避する。
【００８６】
連結部材８の角度の変化を和らげるために、サドル５８は、（サドル５８の前部から下方へシートポスト５６まで測定される）サドル５８の上部表面とシートポスト５６との間の角度を増加させるように、さらに後方に移動される。結果として、サドル５８の上部表面は、実質的に平面のままである。これはまた、サドル５８とハンドルバー４５との間の距離を増加させる。サドル５８もまた、子供のより長い足を許容するようにさらに上昇される。
【００８７】
またさらに、連結部材８の向きは、第２の連結ポイントと第３の連結ポイントとの間の距離を低減し、ベルト６４の適切な伸張を維持するように、ガイドピン４２ａ、４２ｂをガイドスロット３４ａ、３４ｂに沿って並進させることによって、微調整することができる。
【００８８】
この構成では、前部車輪５４ａもまた、より大きい車輪（すなわち、１６インチの車輪）に置換することができる。これは、フォーク端部４６ｂの下部の対の中に位置し得る。フォーク端部４６ａ、４６ｂの上部および下部の対は、車輪間のサイズ（半径）の差に対応する距離だけ、互いからオフセットされる。したがって、リムの位置は、前部ブレーキの調整が全く（または、ほとんど）必要ないように、車輪間で一定のままである。
【００８９】
小さい構成のとき、自転車５２は、２〜４歳で、８５ｃｍ〜１００ｃｍの高さの子供に概ね好適である。中間の構成では、自転車５２は、３〜５歳で、９５ｃｍ〜１１０ｃｍの高さの子供に概ね好適である。大きい構成では、自転車５２は、５〜７歳で、１１０ｃｍ〜１２０ｃｍの高さの子供に概ね好適である。
【００９０】
説明のように、前部部分および後部部分４、６の相対位置ならびに連結部材８の向きは、単に、後部部分６と前部部分４とを連結するために使用される装着穴１４ａ、１４ｂ、１４ｃを変化させることによって（場合によっては、枢軸穴２０ａと２０ｂとの間の追加の遷移を伴って）、変更することができる。前部部分４と後部部分６との間の直接連結は、互いに対する前部部分および後部部分４、６の所定の最適化された位置にフレーム２を制限する。これらの最適化された位置は、所望のサイズの専用のフレームを複製するフレームを備えるように設計される。
【００９１】
子供が成長して体力が増すにつれて、彼らは大きくなりすぎてフレーム２の物理的なサイズが合わなくなるだけでなく（異なるサイズの構成間での変換を必要とする）、クランクセット６０および後部スプロケットアセンブリ６２によって画定される、自転車５２のギアリングも合わなくなる。したがって、各サイズの遷移において、自転車５２のギアリングに関連する変化も存在する。これは、図１６に示される後部スプロケットアセンブリ６２を使用して達成することができる。
【００９２】
示されるように、後部スプロケットアセンブリ６２は、バックプレート６８に連結されているかまたはそれと一体的に形成されている内側スプロケット６６を備える。内側スプロケット６６は、半径方向に突出する複数の歯（図では２２個）を備える。
【００９３】
小さい構成については、大きい環状スプロケット７０が内側スプロケット６６の上に配置される。大きい環状スプロケット７０の内側および外側表面は、歯を備える。内側表面の歯は、大きい環状スプロケット７０を内側スプロケット６６の上で受容し、それと係合させることができるように、内側スプロケット６６の歯に適合する。外側表面の歯は、内側表面の（および内側スプロケット６６の）歯と同じ外形および間隔を有するが、外側表面のより大きい直径のため、大きい環状スプロケット７０の内側表面上（および内側スプロケット６６上）よりも、外側表面上に多くの歯が存在する（図では３０個）。
【００９４】
自転車５２を小さい構成から中間の構成に変換するとき、大きい環状スプロケット７０は、図１７に示されるように、取り外される。これは、後部車輪５４ｂをフレーム２から取り外し、大きい環状スプロケット７０を内側スプロケット６６に対して軸方向に摺動させることによって達成される。次いで、大きい環状スプロケット７０は、図１８に示されるように、中間の環状スプロケット７２と置換される。
【００９５】
大きい環状スプロケット７０のように、中間の環状スプロケット７２は、内側スプロケット６６の歯に適合する歯を備える内側表面を有する。中間の環状スプロケット７２の外側表面もまた、歯を備える。中間の環状スプロケット７２の外側表面の直径は、中間の環状スプロケット７２がより少ない歯を有する（図では２６個）ように、大きい環状スプロケット７０の直径よりも小さい。したがって、これにより、自転車５２のギアリングが増加する。
【００９６】
自転車５２を中間の構成から大きい構成に変換するとき、中間の環状スプロケット７２は、図１９に示されるように、取り外され、ベルト６４は、内側スプロケット６６と直接係合する。これにより、自転車５２のギアリングがさらに増加する。
【００９７】
代替的に、中間の環状スプロケット７２は、大きい環状スプロケット７０の内側表面が中間の環状スプロケット７２の外側表面と適合するように、内側スプロケット６６と大きい環状スプロケット７０との間にぴったり収めることができる。したがって、大きい環状スプロケット７０および中間の環状スプロケット７２は、サイズの遷移ごとに、順次取り外される。
【００９８】
図２０および図２１に示されるように、大きい環状スプロケット７０は、蟻継手などの好適な相互係止継手を使用して互いに連結された２つの半円形の半分７０ａ、７０ｂ（または２つ以上のセグメント）として形成され得る。２つの半分７０ａ、７０ｂは、グラブねじまたは同様のものを使用して保持され得る。中間の環状スプロケット７２もまた、この様式で形成することができる。これにより、大きい環状スプロケット７０および中間の環状スプロケット７２を、フレーム２から後部車輪５４ｂを取り外すことなく、内側スプロケット６６に対して取り外し、取り付けることを許容する。
【００９９】
上に説明したように、ギアリングを調整中に一定のベルト長さを維持するために、ガイドピン４２ａ、４２ｂを、連結部材８の底部ブラケットシェル３８を移動させるように、ガイドスロット３４ａ、３４ｂに沿って並進させ、それによって、クランクセット６０を後部スプロケットアセンブリ６２から離す。いったんベルト６４が十分な伸張を受けると、連結部材８、ひいては前部部分および後部部分４、６は、そのサイズの構成のための所望の位置および向きにある。
【０１００】
代替（または追加）として、上に説明した後部スプロケットアセンブリ６２と同様の配列をクランクセット６０において使用することができる。この配列では、クランクセット６０におけるスプロケットのサイズは、フレーム２が小さいサイズから大きいサイズに変換されるにつれて増加することになる。したがって、これにより、クランクセット６０と後部スプロケットアセンブリ６２との間の距離の低減をオフセットし、ガイドピン４２ａ、４２ｂをガイドスロット３４ａ、３４ｂに沿って並進させる必要なく、実質的に一定のベルト伸張を維持することができる。
【０１０１】
変換可能なスプロケットアセンブリは、任意の自転車のギア比を変化させるために使用することができ、上に説明した調整可能なフレームに限定されない。環状スプロケット（複数可）の内側表面は、環状スプロケット（複数可）の内側表面上に設けられた歯が内側スプロケット上の歯の一部のみと係合するように、内側スプロケットと比較してより少ない歯を有し得ることが理解されるであろう。
【０１０２】
図２２〜図２４は、フレーム２の代替の実施形態を示す。この実施形態のフレーム１０２は、トップチューブ１２が単一の枢軸穴２０のみを備えている点でフレーム２と異なる。小さいおよび中間の構成では、連結部材８は、連結部材８を枢軸穴２０に連結するボス３９が代わりにシートチューブ３６の背後に位置するように、配列される。
【０１０３】
中間の構成から大きい構成への遷移中（図２３および図２４に示す）、連結部材８は、ボス３９がシートチューブ３６の前部にあるように、その長手方向軸を中心に回転する。ボス３９がシートチューブ３６の軸からオフセットされると、これにより連結部材８が後方に移動される。
【０１０４】
ボス３９のように、底部ブラケットシェル３８もまた、シートチューブ３６の軸から同じ方向にオフセットされる。したがって、中間の構成から大きい構成への遷移中に連結部材８が回転するにつれて、底部ブラケットシェル３８、ひいてはクランクセット６０が前方に並進する。これは、クランクセット６０がサドル５８のあまりにも遠く下に移動することを回避し、それによって、わずかにクランク前方の位置を維持する。連結部材８の回転はまた、先に説明したように、クランクセット６０と、内側スプロケット６６がギアリングを増加させるように使用されることを許容する後部スプロケットアセンブリ６２との間の距離を増加させる。
【０１０５】
前部部分４（リンク）に対する後部部分６の固定は、先に説明したもの以外の様式で達成されてもよい。例えば、前部部分４は、連結部材８との枢軸を越えて延在し、後部部分６に連結し得る。したがって、後部部分６は、複数の装着穴を備え得、前部部分は、ベルト６４を伸張させるためのガイドスロットを備え得る。さらに、前部部分４は、単一の位置（取り外し可能であってもなくてもよい）のみ、および伸縮自在の配列を使用して調整されたリンクの有効長さ（第２の連結ポイントと第３の連結ポイントとの間の距離）で後部部分６に直接連結され得る。この場合、伸縮自在の配列の一部は、前部部分４の一セクションを形成するものと考えられ得、伸縮自在の配列の別の部分は、後部部分６の一セクションを形成するものと考えられ得る。したがって、前部部分および後部部分４、６は、一体の要素である必要はなく、２つの部分の間にリンクを形成する１つ以上の追加の要素を備え得る。したがって、リンクは、前部部分および後部部分４、６の両方から着脱自在であり、そのため、前部または後部部分４、６の一部であるとのみ概念的に帰することができる。しかしながら、リンクは、前部部分および後部部分４、６の相対位置を制限しなければならない。
【０１０６】
必要に応じて、フレーム２は、好適な衝撃吸収用の配列を備えることができる。例えば、前部部分４と、後部部分６と、連結部材８との間の連結部のうちの１つ以上は、ある程度の制動を提供するブッシングなどのエラストマー部分を備え得る。代替的に、衝撃吸収手段が、連結部材８に並んで設けられてもよい。前部部分４と、後部部分６と、連結部材８との間の相対位置の任意の動きが、かかる懸架設計によって可能になる場合、異なるサイズの構成は、任意の負荷を有しない、フレームの静止または静的な形状を指すことが理解されるであろう。
【０１０７】
フレーム２は、別個の装着穴１４ａ、１４ｂ、１４ｃ、および枢軸穴２０ａ、２０ｂを有するものとして説明したが、それらは、代わりに、取り付け位置が連続的に変更されることを許容する（いずれかの部分の）スロット、または取り付け位置が直線的または非直線的な経路に追従することを許容するために開口部内で再配向することができるインサートまたはキャリア（フリップチップ）を収容する拡大開口部として各々具体化され得る。実際、上に説明したように、前部部分４は、単一の位置でのみ後部部分６に直接連結することができる。一方、ガイドスロット３４ａ、３４ｂは、代わりに、いくつかの別個の装着穴（または、ベルト６４を伸張させるためのいくつかの調整を依然として提供するためのスロット）として具体化され得る。またさらに、ガイドスロット３４ａ、３４ｂは、取り付け位置が直線的または非直線的な経路に追従することを許容するために開口部内で再配向することができるインサートまたはキャリア（フリップチップ）を収容する拡大開口部として形成され得る。ガイドスロット３４ａ、３４ｂは、湾曲しているものとして説明したが、代わりに、まっすぐであってもよいし、ジグザグまたはステップ状のスロットを形成するように互いに対して曲げられた一連の部分によって形成されてもよい。
【０１０８】
連結部材８は、フレーム２が輸送用によりコンパクトなサイズに折り畳まれることを許容するために、フレーム２から取り外すことができる。
【０１０９】
サドル５８およびシートポスト５６は、湾曲レール５９および湾曲クランプ６１を有するものとして説明したが、この配列を逆にすることができることが理解されるであろう。さらに、スロットタイプの配列を有する単一の中央レールまたは他のガイドを使用することができる。シートポスト５６もまた、除外することができ、サドル５８をトップチューブ１２または連結部材８に直接連結することもできる。サドル５８がトップチューブ１２に直接連結されている場合、湾曲レール５８およびクランプ６１を省くことができるように、サドル５８の角度の最小限の調整のみを必要とする（または調整を全く必要としない）場合がある。
【０１１０】
説明のように、前部フォーク４４は、異なるサイズの車輪に順応する第１および第２の対のフォーク端部４６ａ、４６ｂを備え得る。示されていないが、同様の配列を、後部フォークでも使用することができる。
【０１１１】
穴２０ａ、２０ｂは、枢軸穴として説明したが、連結部材８が穴２０ａ、２０ｂを中心として能動的に枢動しないように、連結部材８を前部部分４から取り外して、新しい向きに再度取り付けることができることが理解されるであろう。同様に、連結部材８と後部部分６との間の連結部は、従来の意味での枢軸である必要はない。
【０１１２】
他の実施形態では、底部ブラケットシェル３８は、連結部材８の代わりに、後部部分６上に設けられ得る。
【０１１３】
本発明を従来の自転車を参照して説明したが、本発明はまた、電気自転車（ｅバイク）の形態で実施することができる。しかしながら、本発明は、直立型自転車に限定され、リカンベント型自転車ではない。
【０１１４】
本発明は、本明細書に記載の実施形態に限定されるものではなく、本発明の範囲から逸脱することなく修正または適合されてもよい。
【図１】
0006666366.tif 000002
【図２】
0006666366.tif 000003
【図３】
0006666366.tif 000004
【図４】
0006666366.tif 000005
【図５】
0006666366.tif 000006
【図６】
0006666366.tif 000007
【図７】
0006666366.tif 000008
【図８】
0006666366.tif 000009
【図９】
0006666366.tif 000010
【図１０】
0006666366.tif 000011
【図１１】
0006666366.tif 000012
【図１２】
0006666366.tif 000013
【図１３】
0006666366.tif 000014
【図１４】
0006666366.tif 000015
【図１５】
0006666366.tif 000016
【図１６】
0006666366.tif 000017
【図１７】
0006666366.tif 000018
【図１８】
0006666366.tif 000019
【図１９】
0006666366.tif 000020
【図２０】
0006666366.tif 000021
【図２１】
0006666366.tif 000022
【図２２】
0006666366.tif 000023
【図２３】
0006666366.tif 000024
【図２４】
0006666366.tif 000025